(57)【要約】【課題】継手を分水栓に直接構成した継手付サドル分水栓において、給水本管に分水のための通水孔を穿孔するには、継手機構部材を取り外さなければ継手開口端部を閉栓できない問題があり、更に、穿孔時に発生する切粉が嵌着機構や分水栓機構部に侵入し故障や漏水を発生させる問題がある。【解決手段】継手付サドル分水栓の嵌着部内壁に雌螺子を刻設し、先端部にＯリング５２と前記雌螺子に螺合する雄螺子５１を設定し、必要な場合は切粉排出孔５５を設けた閉栓プラグ５を、着合管挿入側から挿入螺進させて着合管継手孔を密栓して、分水栓本体の上部から穿孔機を挿入し給水本管に分水孔を穿孔するように構成した。【選択図】図３
2004332811.tif 000002
【特許請求の範囲】
【請求項１】
継手付サドル分水栓の嵌着部内壁に雌螺子を刻設し、先端部にＯリングと前記雌螺子に螺合する雄螺子を設定した閉栓プラグを、着合管挿入側から挿入螺進させて着合管継手孔を密栓して、分水栓本体の上部から穿孔機を挿入し給水本管に分水孔を穿孔することを特徴とする嵌着継手付サドル分水栓における分水孔穿孔方法
【請求項２】
着合管挿入嵌着部内壁に閉栓プラグの雄螺子と螺合する雌螺子を刻設したことを特徴とする嵌着継手付サドル分水栓
【請求項３】
先端部にＯリングと分水栓本体継手嵌着部内壁に刻設された雌螺子と螺合する雄螺子を設定し、後端部にフランジ部を設け、その内側に分水栓本体継手部の着合管挿入部端面と密接するシートパッキンを設定した閉栓プラグ
【請求項４】
本体軸芯に穿孔時に発生する切粉を排出する切粉排出孔を設けるようにした請求項３記載の閉栓プラグ
【発明の詳細な説明】
【０００１】
【産業上の利用分野】
本発明は、継手付サドル分水栓、特に、嵌着継手付サドル分水栓における分水孔穿孔方法と同穿孔方法に用いられる嵌着継手付サドル分水栓及び閉栓プラグに関するものである。
【０００２】
【従来の技術】
従来、サドル分水栓に配水管を接続する場合には、別に構成された継手を用いて行われてきたが、近時、分水栓に直接継手を構成するもの（例えば特許文献１）が開発され、多く用いられるようになっている。
【０００３】
また、サドル分水栓を給水本管に取り付けた後、給水本管に分水孔を穿孔するには分水栓頂部のキャップを外し、上部から穿孔機を挿入して穿孔する（例えば特許文献２の穿孔に関する記載）方法が採られているが、穿孔時に発生する切粉の排出は、専ら給水本管の送水圧による吹上げ力に依存し特別の配慮はされていない。
【０００４】
【特許文献１】特開平８−５３８６１号公報
【特許文献２】２００３−９６８３４号公報
【０００５】
【発明が解決しようとする課題】
しかしながら、継手付サドル分水栓、特に、ワンタッチ継手といわれる嵌着継手を分水栓に直接構成した場合、給水本管に分水孔を穿孔するには、ワンタッチ嵌着機構の開口端部を閉栓キャップで閉鎖しただけでは、穿孔時に発生する切粉が嵌着機構や分水栓機構部に侵入してしまう問題がある。
【０００６】
従って、穿孔時に発生する切粉の排出を給水本管の送水圧による吹上げ力だけに依存していたのでは、切粉の排除が不十分であり、特に、穿孔される給水本管の素材によっては飲料水に混入され、流末器具まで到達するものもあり、より完全な切粉の排除が求められるようになってきている。
【０００７】
また、切粉が飲料水に混入されないまでも、分水栓の機構部であるボール弁体の周囲やボールシート部或いは嵌着機構内に入り込んだりすれば、機構部に噛み込みや接合不良を生じ漏水や故障の原因となる。
【０００８】
更に、穿孔時に発生する切粉の排出を給水本管の送水圧による吹上げ力に依存しているため、切粉排出時に管継手内Ｌ字形パッキンに施してある管挿入用潤滑剤が水流圧によって流されてしまう問題がある。
【０００９】
以上の不都合に対応するためには、給水本管に分水孔を穿孔するときには、多大な労力を掛けてワンタッチ嵌着機構を構成するストッパーリング４２、止め輪４３、Ｌ字形パッキン４４、継手キャツプ４５といった部材を全て取り外し、嵌着機構が取り付けられていた栓本体の基部開口部を閉栓キャップで閉鎖しなければ穿孔できないといった問題がある。
【００１０】
【課題を解決するための手段】
本発明は上記した課題に対応しようとするものであり、嵌着継手付サドル分水栓の嵌着部内壁に雌螺子を刻設し、先端部にＯリングと前記雌螺子に螺合する雄螺子を設定した閉栓プラグを、着合管挿入側から挿入螺進させて着合管継手孔を密栓して、分水栓本体の上部から穿孔機を挿入し給水本管に分水孔を穿孔するように構成した。
【００１１】
更に、閉栓プラグを先端部にＯリングと分水栓本体継手嵌着部内壁に刻設された雌螺子と螺合する雄螺子を設定し、後端部にフランジ部を設け、その内側に分水栓本体継手部の着合管挿入部端面と密接するシートパッキンを設定するように構成し、分水栓と閉栓プラグの接合部の密着構造を高め、閉栓プラグの先端が分水栓機構部の内部まで挿入されて分水栓機構部への切粉の侵入を防止すると共に、継手嵌着機構部への切粉の侵入をも防止できるようにした。
【００１２】
また、閉栓プラグ本体軸芯に穿孔時に発生する切粉を排出する切粉排出孔を設けるようにして、切粉が切粉排出孔を通り継手嵌着機構内に設定されたＬ字形パッキンに触れずに外部に排出でき、Ｌ字形パッキンに施してある管挿入用潤滑剤が水流圧によって流されることがないようにした。
【００１３】
【発明の実施の形態】
以下、本発明の実施例を図面を参照して説明する。
１は分水栓本体で、側部に配水支管との連結開口部１１に連結構成された嵌着継手４と球弁１３を介して球弁操作機構１２が構成され、球弁１３の上部に垂直方向の穿孔機挿入孔１４、中央部は球弁１３を操作機構１２と掛合して収容する球弁格納部１５となっていて、給水本管Ａから連結開口部１１を通じて配水支管に分水する分水機構が構成されている。
【００１４】
嵌着継手４は、分水栓胴の連結開口部１１から張出する継手枠４１に着合してワンタッチ嵌着機構を構成するストッパーリング４２、これを固定する止め輪４３、嵌着機構部を密閉するＬ字形パッキン４４といった部材が継手キャツプ４５によって嵌装され、配水支管の端部が挿入されるとワンタッチで分水栓に着合するようになっている。
【００１５】
即ち、嵌着継手４に配水支管の端部が挿入されると、挿入部によってストッパーリング４２が押し広げられ、その内側に複数並列して設定された挿入方向に傾斜するテーパー段部４６、４６・・が挿入管の外周に圧接されて抜去できなくなる構造となっている。なお、継手４は上記のようなワンタッチ嵌着継手でなくても良いことは勿論である。
【００１６】
２は分水源となる給水本管を挟着包持するサドルの上部包持体で、給水本管Ａの下側に挿し回わされた下部包持体３とボルト２１、ナット３１により着合して給水本管を挟着包持するものである。
【００１７】
分水栓の取り付けは、継手が付設されていない場合には下部包持体３を給水本管Ａの下側に挿し回わして、上部包持体２と着合して配水本管を挟着包持して取り付け、頂部のキャップ６をはずし球弁１３を回動して上下方向に穿孔機挿入孔１４を通して上部から穿孔機を挿入できる状態として、連結開口部１１をキャップ６で閉塞して給水本管に通水孔７を穿孔する。
【００１８】
しかし、継手が付設されていると、連結開口部１１をキャップ６で閉塞するためには、嵌着機構を構成するストッパーリング４２、止め輪４３、Ｌ字形パッキン４４、継手キャツプ４５といった部材を全て取り外し、嵌着機構が取り付けられていた栓本体の基部開口部を閉栓キャップで閉鎖しなければ穿孔できない。
【００１９】
本発明による嵌着継手付サドル分水栓は、連結開口部１１から張出する継手枠４１の内壁に閉栓プラグ５の雄螺子５１と螺合する雌螺子１６を刻設し、閉栓プラグ５を継手４の着合管挿入側から挿入螺進させて着合管継手孔を密栓できるようにしたものである。
【００２０】
閉栓プラグ５は、先端部にＯリング５２と分水栓本体継手嵌着部内壁に刻設された雌螺子１６と螺合する雄螺子５１を設定し、後端部にフランジ部５３を設け、その内側に分水栓本体継手部の着合管挿入部端面と密接するシートパッキン５４が設定されている。
【００２１】
また、他の実施例として本体軸芯に穿孔時に発生する切粉を排出する切粉排出孔５５を設け、閉栓プラグ５の軸芯からも切粉が排出されるようにして穿孔時に発生する切粉の排出をより完全なものとした。
【００２２】
本発明による分水栓の取り付けは、下部包持体３を給水本管Ａの下側に挿し回わして、上部包持体２と着合して配水本管を挟着包持して取り付け、頂部のキャップ６をはずし球弁１３を回動して上下方向に穿孔機挿入孔１４を通して上部から穿孔機を挿入できる状態として、閉栓プラグ５を分水栓継手４の着合管挿入側から挿入螺進させて球弁１３の連結開口部１１への連絡孔１７まで挿入する。
【００２３】
上記の閉栓プラグ５の挿入によって、プラグ先端部のＯリング５２が分水栓本体機構部と継手４の着合管挿入機構部との間を密封し、シートパッキン５４が分水栓本体継手部の着合管挿入部端面と密接して、切粉の侵入や漏水が防止される。
【００２４】
分水栓１の上部から穿孔機挿入孔１４を通して、先端部に切粉排出バルブ８１を備えた穿孔機８を挿入して切粉排出バルブ８１を開栓し穿孔機のドリル８２の回動すれば、ドリル８２の回動によって発生する切粉は、給水本管Ａの給水圧によって図２に示す矢印の経路を辿り、排出バルブ８１を通じて排出され、給水本管Ａに通水孔７が穿孔される。
【００２５】
図３は、前記他の実施例により閉栓プラグ５の軸芯に切粉排出孔５５を設けた場合の切粉排出経路を示すもので、切粉は図３に示す矢印の経路を辿り、ドリル回動部の直上に開口する排出孔５５から直ちに排出され、残留されたものが排出バルブ８１から排出される。
【００２６】
給水本管に通水孔７を穿孔した後、球弁１３の回動操作を可能とする上部位置で穿孔機を留めて穿孔された通水孔７からの水流を止めた状態で球弁１３を回動して穿孔機挿入孔１４を閉鎖し、キャップ６を嵌めた後に再び球弁１３を回動して穿孔機挿入孔１４を解放して分水を完了するものである。
【００２７】
本発明は以上のように構成したので、継手付サドル分水栓の継手構造部材を取り外すことなく、閉栓プラグによる閉栓で給水本管に通水孔を不断水穿孔することができ、故障や漏水の原因となる各機構部への切粉の侵入を防止することができたものである。
【図面の簡単な説明】
【図１】本発明の実施例による嵌着継手付サドル分水栓と閉栓プラグの関係を示すサドル分水栓と閉栓プラグの縦断面正面図
【図２】同じく、閉栓プラグにより分水栓継手部を閉栓し、穿孔機を挿入した状態における一部を切欠断面として示した全体正面図
【図３】同じく、他の実施例による閉栓プラグにより分水栓継手部を閉栓し、穿孔機を挿入した状態における一部を切欠断面として示した全体正面図
【符号の説明】
１  分水栓本体
１１  配水支管（着合管）との連結開口部
１２  球弁操作機構
１３  球弁
１４  穿孔機挿入孔
１５  球弁格納部
１６  閉栓プラグの雄螺子と螺合する雌螺子
１７  球弁の連結開口部への連絡孔
２  上部包持体
２１  ボルト
３  下部包持体
３１  ナット
４  嵌着継手
４１  分水栓胴の連結開口部から張出する継手枠
４２  ストッパーリング
４３  ストッパーリングを固定する止め輪
４４  Ｌ字形パッキン
４５  継手キャツプ
４６  ストッパーリングのテーパー段部
５  閉栓プラグ
５１  雄螺子
５２  Ｏリング
５３  フランジ部
５４  シートパッキン
５５  切粉排出孔
６  キャツプ
７  通水孔
８  通水孔穿孔機
８１  切粉排出バルブ
８２  穿孔機のドリル
Ａ  給水本管
【図１】
2004332811.tif 000003
【図２】
2004332811.tif 000004
【図３】
2004332811.tif 000005